(57)【要約】【課題】  ハンドル型アプライヤーと共に使用される歯科用粘性材料用のカートリッジに於いて、歯科用粘性材料を押し出した後もカートリッジ本体内の圧力によって粘性物質が液垂れする現象が生じることのない歯科用粘性材料用のカートリッジを提供する。【解決手段】  前端にノズルが設けられ後端が開口しており、その内面の横断面形状が同一直径であるカートリッジ本体内に収納されている内栓に、歯科用粘性材料を押出している間はカートリッジ本体のノズル側に向かって中央部が突出するように変形し、内栓を押す力が除かれた際には元の形状に復元可能な弾性があり該カートリッジ本体の内径と等しい外径を持つ２以上の鍔部が形成されていることを特徴とする歯科用粘性材料用カートリッジの押出し部構造とする。【選択図】  図２
2008200156.tif 000002
【特許請求の範囲】
【請求項１】
ハンドル型アプライヤーと共に使用される歯科用粘性材料用のカートリッジに於いて、前端にノズル（１ａ）が設けられ後端が開口しておりその内径が一定であるカートリッジ本体（１）内に収納されている歯科用粘性材料（３）をノズル（１ａ）側に押し出すために該カートリッジ本体（１）内に後端から挿入されている、カートリッジ本体の内径（Ｄ）よりも小さな直径（Ｄｓ）を持つ内栓（２）に、該歯科用粘性材料を押出している間はカートリッジ本体（１）のノズル（１ａ）側に向かってその断面の中央方向部が突出するように変形し内栓（２）を押す力が除かれた際には元の形状に復元可能な弾性があり該カートリッジ本体（１）の内径と等しいか又は僅かに大きな外径を持つ２以上の鍔部（Ｖ）が形成されていることを特徴とする歯科用粘性材料用カートリッジの押出し部構造。
【発明の詳細な説明】
【技術分野】
【０００１】
本発明は、ハンドル型アプリケーターを用いてその内部に収められている歯科用粘性材料を押し出して使用する歯科用のカートリッジに関し、押し出しを止めたときに内部の歯科用粘性材料が残圧で更に押し出される（液垂れする）ことのないカートリッジの押出し部構造に関する。
【背景技術】
【０００２】
従来歯科分野に於いて、歯科用充填材料や人工歯用材料，歯冠作製用材料等の歯科用粘性材料を取り扱う場合、その都度治療の目的に見合う色調等を選定しその選定に基づいて歯科医や技工士や衛生士が歯科用粘性材料となる粉末と練和液とを適正量採取し充分練和して使用していたが、近年このような歯科用粘性材料は各種の色調等に予め練和された状態で筒状の使い捨て容器（以下、カートリッジと言う）に充填されて提供されるようになっている。
【０００３】
カートリッジを用いる際には専用のハンドル型アプリケーターを用いる（例えば、特許文献１参照。）。このハンドル型アプリケーターと共に用いる歯科用粘性材料用のカートリッジは、先端近傍にノズルとして構成された開口を有する円筒状のカートリッジ本体内にあり軸方向に摺動可能なピストン部材（内栓）から成るものが使用されている（例えば、特許文献２参照。）。
【０００４】
このようなカートリッジ内から歯科用粘性材料を押し出すには、カートリッジ本体の後端開口から挿入されている内栓をそのカートリッジ本体が装着されたアプリケーターのピストンによってカートリッジ前方向へ移動せしめ、そのカートリッジ本体内の圧力を高くして先端のノズル側から歯科用粘性材料が押し出す。このときに、カートリッジ本体内から所望量の歯科用粘性材料を押し出した後もカートリッジ本体内の圧力によって粘性物質が液垂れする現象が問題となっている。
【特許文献１】特表平９−５０６２７１号公報
【特許文献２】特開２００１−３５３１６９号公報
【発明の開示】
【発明が解決しようとする課題】
【０００５】
そこで本発明は、ハンドル型アプライヤーと共に使用される歯科用粘性材料用のカートリッジに於いて、歯科用粘性材料を押し出した後もカートリッジ本体内の圧力によって粘性物質が液垂れする現象が生じることのない歯科用粘性材料用カートリッジの押出し部構造を提供することを課題とする。
【課題を解決するための手段】
【０００６】
本発明者は上記課題を解決するために鋭意検討した結果、内栓に押圧されたときに変形する少なくとも２つの鍔を設ければ、押し出しを止めたときに内栓の鍔の復元力により内栓を後方へ戻すことによってカートリッジの内圧を吸収することができることに想到して本発明を完成させた。
【０００７】
即ち本発明は、ハンドル型アプライヤーと共に使用される歯科用粘性材料用のカートリッジに於いて、前端にノズルが設けられ後端が開口しておりその内面の横断面形状が同一直径であるカートリッジ本体内に収納されている歯科用粘性材料をノズル側に押し出すために該カートリッジ本体内に後端から挿入されているカートリッジ本体の内径よりも小さな直径を持つ内栓に、該歯科用粘性材料を押出している間はカートリッジ本体のノズル側に向かってその断面の中央方向部が突出するように変形し内栓を押す力が除かれた際には元の形状に復元可能な弾性があり該カートリッジ本体の内径と等しいか又は僅かに大きな外径を持つ２以上の鍔部が形成されていることを特徴とする歯科用粘性材料用カートリッジの押出し部構造である。
【発明の効果】
【０００８】
本発明に係る歯科用粘性材料用カートリッジの押出し部構造は、歯科用粘性材料を押し出した後もカートリッジ本体内の圧力によって粘性物質が液垂れの生じることのない歯科用粘性材料用のカートリッジを提供することが可能な優れた押出し部構造である。
【発明を実施するための最良の形態】
【０００９】
以下、図面を用い本発明に係る歯科用粘性材料用カートリッジの押出し部構造について詳細に説明するが、本発明はこの実施例に限定されない。
【００１０】
図面中１は、歯科用粘性材料用のカートリッジの歯科用粘性材料を収めるスペースを取り囲む円筒状のカートリッジ本体である。歯科用粘性材料用のカートリッジは、歯科用粘性材料をその内部に収めるためのカートリッジ本体１及び後述の内栓２は共に従来から用いられている樹脂材料が使用可能である。樹脂材料としては、ポリエチレン，ポリアセタール，ポリプロピレン，ポリアミド，塩化ビニル樹脂，ナイロン，フェノール樹脂，ポリウレタン，飽和ポリエステル樹脂，メラミン樹脂 ，ポリ塩化ビニリデン，不飽和ポリエステル樹脂，ポリブタジエン，ポリスチレン，ＥＶＡ（エチレン−酢酸ビニル共重合）樹脂，スチロール樹脂，ポリメチルペンテン，メタクリルスチレン，ＡＢＳ（アクロル二トリル，ブタジエン，スチレン）樹脂，ポリカーボネート等が例示される。なお、歯科用粘性材料は光硬化性のものが多いので、これらの樹脂は遮光性を有していることが好ましい。
【００１１】
カートリッジ本体１はその先端に開口しているノズル１ａを有し、該ノズル１ａと反対側の開口部から後述する内栓２が軸方向に摺動可能な状態で挿入されており、該内栓２によって内部の歯科用粘性材料が封鎖され必要により遮光されている。また、従来の一般的なカートリッジと同様にノズル１ａと反対側の開口部の近傍にはハンドル型アプライヤー（図示せず）のカートリッジ装着部と係合させるためのフランジ１ｂが設けられている。
【００１２】
２はカートリッジ本体１内に収納されている歯科用粘性材料３をノズル１ａの開口から押し出すために該カートリッジ本体１内に後端から挿入されている内栓である。内栓２はカートリッジ本体の内径Ｄよりも小さな直径Ｄｓを持ち、内栓２の外周の全周に渡る少なくとも２つの鍔部Ｖを有している。内栓の先端はカートリッジ本体１の先端内部の形状と同一であることが好ましく、図の例では砲弾型となっている。該鍔部Ｖは内栓２が歯科用粘性材料３を押出している間はカートリッジ本体１の前側に向かって内栓の中心軸に垂直な断面で見た場合に中央方向部が突出するように変形し、内栓を押す力が除かれた際には元の形状に復元するような弾性を持つ材料で構成されている。また、鍔部Ｖはカートリッジ本体１の内径と等しい外径である。鍔部Ｖは内栓２と一体で形成されていても良いし、鍔部を成型してから接着または溶着等で内栓２と一体化させて形成しても良い。
【００１３】
鍔部Ｖは内栓２に少なくとも２つ形成されていることが必要であり、１つでは内栓の向きがカートリッジ本体１内で安定せず、また歯科用粘性材料３の密封性も不足する。鍔部Ｖの形状，使用する材質の弾性率や硬度等の条件によっても異なるが、特に鍔部Ｖが２〜４つ形成されていることが、歯科用粘性材料の密封性，押し出し易さ，内圧の低減効率の点からもっとも好ましい。
【００１４】
本発明にかかる歯科用粘性材料用カートリッジの押出し部構造は、カートリッジ本体１をハンドル型アプライヤー（図示せず）のカートリッジ装着部に係合させ、該アプライヤーの操作によりアプライヤーのプランジャーがカートリッジ本体１内の内栓２を押すので歯科用粘性材料３をノズル１ａから押し出される。このとき、押し出す力により内栓２に形成された鍔部Ｖがカプセル本体１の内壁との摩擦によってカートリッジ本体１の前側に向かってその中央部が突出するように変形しながら歯科用粘性材料３を押し出す（図２参照。）。その後、内栓を押す力が除かれた後、カプセル本体１の内壁との摩擦によって鍔部Ｖの内壁と接している部分の位置はそのままに鍔部Ｖは力の加わる前の状態に復元するので内栓２が若干カートリッジ本体の後端方向へ戻ることとなり、その結果としてカートリッジの内圧を低減させることができる。
【図面の簡単な説明】
【００１５】
【図１】歯科用粘性材料用カートリッジにおける押出し部構造の初期状態を示す断面図。
【図２】図１の状態から、内栓を押して歯科用粘性材料を押し出している状態を模式的に示す説明用断面図。
【符号の説明】
【００１６】
１  カートリッジ本体
１ａ  ノズル
１ｂ  フランジ
Ｄ  カートリッジ本体の内径
２  内栓
Ｄｓ  内栓の直径
Ｖ  鍔部
【図１】
2008200156.tif 000003
【図２】
2008200156.tif 000004